(57)【要約】【課題】筐体内の電波が外部に漏出することを防ぐとともに、当該筐体の開扉に係る操作性を向上させることが可能な読取装置を提供する。【解決手段】物品に付されたＲＦＩＤタグから情報を読み取る読取装置であって、前記物品の出入口となる開口部を有するとともに、その内部に前記物品を収納するための収納室を有する筐体と、前記筐体の内部に設けられたアンテナと、前記開口部を開閉するための扉と、前記扉を施錠及び解錠の何れか一方の状態とする施錠手段と、前記アンテナを介して前記収納室に収納された前記物品の前記ＲＦＩＤタグと交信する交信手段と、前記交信手段が前記ＲＦＩＤタグと交信する間前記扉を施錠させ、前記ＲＦＩＤタグとの交信が完了すると前記扉を解錠させる制御手段と、前記扉の解錠に伴い当該扉を開扉する開扉手段と、を備える。【選択図】図２
2018136633.tif 000002
【特許請求の範囲】
【請求項１】
物品に付されたＲＦＩＤタグから情報を読み取る読取装置であって、
前記物品の出入口となる開口部を有するとともに、その内部に前記物品を収納するための収納室を有する筐体と、
前記筐体の内部に設けられたアンテナと、
前記開口部を開閉するための扉と、
前記扉を施錠及び解錠の何れか一方の状態とする施錠手段と、
前記アンテナを介して前記収納室に収納された前記物品の前記ＲＦＩＤタグと交信する交信手段と、
前記交信手段が前記ＲＦＩＤタグと交信する間前記扉を施錠させ、前記ＲＦＩＤタグとの交信が完了すると前記扉を解錠させる制御手段と、
前記扉の解錠に伴い当該扉を開扉する開扉手段と、
を備える読取装置。
【請求項２】
前記扉の開閉状態を検出する検出手段を更に備え、
前記制御手段は、前記検出手段が閉状態を検出していることを条件に、前記扉を施錠させ、
前記交信手段は、前記扉が施錠されたことを条件に、前記ＲＦＩＤタグとの交信を開始する、
請求項１に記載の読取装置。
【請求項３】
交信開始の指示を受け付ける受付手段を更に備え、
前記制御手段は、前記受付手段が前記交信開始の指示を受け付けたことを条件に、前記扉を施錠させる請求項１又は２に記載の読取装置。
【請求項４】
前記施錠手段は、前記扉の施錠及び解錠を行う電気錠を有し、
前記制御手段は、前記電気錠を制御することで前記扉を施錠又は解錠させる請求項１〜３の何れか一項に記載の読取装置。
【請求項５】
前記開扉手段は、前記扉の閉扉に伴い変形することで、当該扉を開扉する開扉方向に付勢する弾性部材で形成され、
前記弾性部材は、前記施錠によって前記筐体に係合されていた前記扉が前記解錠によって開放されると、当該扉を前記開扉方向に付勢する請求項１〜４の何れか一項に記載の読取装置。
【発明の詳細な説明】
【技術分野】
【０００１】
本発明の実施形態は、読取装置に関する。
【背景技術】
【０００２】
従来、ＲＦＩＤタグ（無線タグ）に記憶された情報を読み取る読取装置が存在し、様々な用途・形態で使用されている。例えば、従来、収納容器に収納されたＲＦＩＤタグの情報だけを読み取るため、側壁が電波吸収材で覆われた収納容器にＲＦＩＤタグを収納し、当該収納容器を載置する載置台に設けたアンテナを介して情報を読み取る読取装置が提案されている。
【０００３】
上記した従来の構成では収納容器の載置位置がアンテナからずれると、当該アンテナからの電波は収納容器の周辺にも及ぶため、収納容器外のＲＦＩＤタグが電波に反応する可能性がある。そこで、アンテナ（載置台）を密閉した筐体（収納容器）内に収納し、この筐体を扉等により開閉可能とすることで、アンテナの電波が及ぶ範囲を筐体内に制限する構成が考えられる。
【０００４】
ところで、上記の筐体構成では、ＲＦＩＤタグの読み取りの最中に扉を開けてしまうと筐体外に電波が漏れ出すことになる。そのため、ユーザは読み取りの最中か否かを確認してから扉を開ける等、読取装置の動作状態を確認しながら開扉する必要がある。しかしながら、読取装置の動作状態を確認しながら開扉することはユーザにとって煩雑である。
【発明の概要】
【発明が解決しようとする課題】
【０００５】
本発明が解決しようとする課題は、筐体内の電波が外部に漏出することを防ぐとともに、当該筐体の開扉に係る操作性を向上させることが可能な読取装置を提供することである。
【課題を解決するための手段】
【０００６】
実施形態の読取装置は、物品に付されたＲＦＩＤタグから情報を読み取る読取装置であって、前記物品の出入口となる開口部を有するとともに、その内部に前記物品を収納するための収納室を有する筐体と、前記筐体の内部に設けられたアンテナと、前記開口部を開閉するための扉と、前記扉を施錠及び解錠の何れか一方の状態とする施錠手段と、前記アンテナを介して前記収納室に収納された前記物品の前記ＲＦＩＤタグと交信する交信手段と、前記交信手段が前記ＲＦＩＤタグと交信する間前記扉を施錠させ、前記ＲＦＩＤタグとの交信が完了すると前記扉を解錠させる制御手段と、前記扉の解錠に伴い当該扉を開扉する開扉手段と、を備える。
【図面の簡単な説明】
【０００７】
【図１】図１は、実施形態に係る書類読取装置の構成の一例を示す外観斜視図である。
【図２】図２は、実施形態に係る読取部の概略構成を示す外観斜視図である。
【図３】図３は、実施形態の筐体に設けられたロック機構の構成を示す図である。
【図４】図４は、実施形態の筐体及び扉に設けられたロック機構を示す図である。
【図５】図５は、実施形態に係る本体部及び読取部のハードウェア構成を示すブロック図である。
【図６】図６は、実施形態に係る本体部及び読取部の機能的構成を示すブロック図である。
【図７】図７は、実施形態に係る本体部及び読取部の動作例を説明するためのフローチャートである。
【発明を実施するための形態】
【０００８】
以下、実施形態に係る読取装置について、図面を参照して説明する。なお、以下の実施形態では、伝票や入場券、書籍、免許証、パスポート等の書類に付されたＲＦＩＤ（Radio  Frequency  IDentifier）タグを読み取る書類読取装置に適用した例について説明するが、この実施形態によりこの発明が限定されるものではない。
【０００９】
図１は、本実施形態に係る書類読取装置１の構成の一例を示す外観斜視図である。図１に示すように、書類読取装置１は、本体部２と、読取部１０とを備える。
【００１０】
本体部２は、タッチパネル３ａが表面に配設されたディスプレイ３ｂを備える。ディスプレイ３ｂは、例えば液晶表示器等の表示デバイスである。
【００１１】
読取部１０は、読取装置の一例である。読取部１０は、書類Ｄ１に付されたＲＦＩＤタグＴ１から情報を読み取ったり、当該ＲＦＩＤタグＴ１に情報を書き込んだりすることが可能なリーダライタ装置である。
【００１２】
ＲＦＩＤタグＴ１は、例えば、当該ＲＦＩＤタグＴ１が付された書類Ｄ１を識別する書類コード等の情報を記憶する。また、ＲＦＩＤタグＴ１には、後述する登録済フラグを書き込むための記憶領域が用意されているものとする。登録済フラグの有無は、例えば、書類読取装置１が設置されたフロアの出入り口に設置されたゲートでチェックされ、登録済フラグがないものはブザー等の報知手段により警告が行われる。
【００１３】
読取部１０は、有線又は無線により本体部２に接続される。読取部１０は、ＲＦＩＤタグＴ１から読み取った書類コード等の各種の情報を、本体部２に出力（送信）する。なお、本実施形態では、本体部２と読取部１０とを別体としたが、これに限らず、本体部２と読取部１０とを一体的に構成してもよい。
【００１４】
以下、読取部１０について説明する。図２は、読取部１０の概略構成を示す外観斜視図である。図２（ａ）は、読取部１０の扉１２を開けた開状態を示し、図２（ｂ）は、読取部１０の扉１２を閉じた閉状態を示している。
【００１５】
読取部１０は、読取部１０の主たる外装を構成する筐体１１と、筐体１１に設けられた開口部１３を開閉するための扉１２とを有する。筐体１１は、略箱型の形状を備え、例えば、横幅寸法よりも奥行寸法が大きい、奥行方向に長いプロポーションを有する。
【００１６】
扉１２は、本体部２の右方前面に設けられたヒンジ（図示せず）によって開閉可能に取り付けられている。扉１２は、開口部１３（収納室１４）を開閉する。扉１２には、開閉レバー１２１が取り付けられている。ユーザは、開閉レバー１２１を把持して扉１２の開閉を行う。
【００１７】
開口部１３は、複数の書類Ｄ１を一度に通過させることが可能な大きさを有する。また、筐体１１は、その内部に複数の書類Ｄ１を収容することが可能な大きさの収納室１４を有する。ユーザは、扉１２を開状態とすることで、筐体１１の開口部１３を通じて、収納室１４の内部に書類Ｄ１を入れたり、収納室１４から書類Ｄ１を出したりすることができる。なお、書類Ｄ１は、木製やガラス等の絶縁性（電波透過性）の部材で形成された収納容器に収納した状態で、収納室１４内に入れてもよい。
【００１８】
収納室１４内において、書類Ｄ１は、収納室１４の底面となる載置面１５上に載置される。載置面１５は、木製やガラス等の絶縁性（電波透過性）の板状部材で構成され、筐体１１の底面と所定の間隙を有して支持されている。また、載置面１５を除いた収納室１４内の壁面は、電波を反射する部材（電波反射材）で形成される。係る部材としては、金属やモールド材、フェライト等の公知・公用の電波反射材を用いることができる。
【００１９】
また、載置面１５と筐体１１の底面との間の空間には、平面状のＲＦＩＤアンテナ１６や図示しない回路基板等が設けられる。ＲＦＩＤアンテナ１６は、ＵＨＦ帯等の電波を出射することで、収納室１４内に存在するＲＦＩＤタグＴ１、つまり収納室１４に収納された各書類Ｄ１に付されているＲＦＩＤタグＴ１と交信を行う。また、ＲＦＩＤアンテナ１６は、後述するリーダライタ部４１と協働することで、扉１２の閉状態時に電波を出射する。
【００２０】
筐体１１（収納室１４）及び扉１２の壁面は、筐体１１（収納室１４）内の電波が外部に漏出すること及び外部の電波が筐体１１（収納室１４）内に侵入することを防ぐため、電波反射材又は電波を吸収する部材（電波吸収材）で形成される。係る部材としては、金属やモールド材、フェライト等の公知・公用の電波反射材又は電波吸収材を用いることができる。
【００２１】
また、読取部１０は、扉１２の開閉を規制するロック機構２０を備えている。係るロック機構２０は、筐体１１と扉１２との間に設けられ、開錠状態と施錠状態との一方から他方への移行を管理する。なお、開錠状態は、扉１２による開口部１３の開閉が可能な状態である。施錠状態は、扉１２による開口部１３の開閉が不可能な状態である。以下、図３、図４を参照して、ロック機構２０について説明する。
【００２２】
図３は、筐体１１に設けられたロック機構２０の構成を示す図である。また、図４は、筐体１１及び扉１２に設けられたロック機構２０を示す図である。なお、図３は、筐体１１の正面方向（Ｙ方向）から見た、ロック機構２０の外観斜視図である。また、図４は、筐体１１の側面方向（Ｘ方向）から見たロック機構２０の構造を示す平面図であり、図４（ａ）は施錠状態を、図４（ｂ）は開錠状態を示している。
【００２３】
ロック機構２０は、筐体１１に設けられた電磁ロック２１及び開放用スプリング２２と、扉１２に設けられたフック２３とを有する。電磁ロック２１は、電気錠の一例であり、閂部２１１、ソレノイド２１２及びフレーム２１３等を備えている。閂部２１１は、係合部の一例であり、棒状の部材で形成される。閂部２１１は、所定の二つの位置の間で長手方向に沿って移動可能である。所定の二つの位置は、本実施形態では、後述する開錠位置及び施錠位置である。また、閂部２１１の先端部２１１ａは、扉１２の開閉時に閂部２１１の長手方向に荷重がかかるよう滑らかな傾斜面が形成されている。ソレノイド２１２は、閂部２１１を所定の二つの位置の一方から他方へ移動させる作動部の一例である。フレーム２１３は、板金で形成された略直方体の囲い（枠）であって、ソレノイド２１２を覆って保護する（図３参照）。
【００２４】
施錠位置は、扉１２を施錠状態とする際の閂部２１１の位置である。この施錠位置における閂部２１１は、ソレノイド２１２によって、フレーム２１３からの突出長が長くなる方向に突出されている（図４（ａ）参照）。開錠位置は、扉１２を開錠状態とする際の閂部２１１の位置である。このホームポジションにおける閂部２１１のフレーム２１３からの突出長は、施錠位置に位置するときよりも短い（図４（ｂ）参照）。つまり、閂部２１１は、施錠位置において突出し、開錠位置において引っ込んでいる。
【００２５】
ソレノイド２１２は、電力を受けて作動して、開錠位置又は施錠位置へ閂部２１１を移動させる駆動力を発する。ソレノイド２１２の非作動時には、閂部２１１は、例えば弦巻ばねやゴム等の弾性部材（図示せず）の弾性力により、開錠位置と施錠位置との間の位置（以下、中間位置という）に位置付けられる。つまり、閂部２１１は、ソレノイド２１２の非作動時に、開錠位置と中間位置との間を移動することができる。なお、中間位置は、扉１２の開閉が可能な状態で、且つ扉１２が開かない程度に閂部２１１の先端部２１１ａで支持することが可能な位置とすることが好ましい。具体的には、中間位置は、扉１２を閉めた際に、扉１２のフック２３に閂部２１１の先端部２１１ａが当接する位置とすることが好ましい。
【００２６】
フック２３は、閂部２１１と係合する被係合部の一例である。フック２３は、扉１２を閉状態とした際に、電磁ロック２１の閂部２１１に対応する位置に設けられる。フック２３は、例えば、コの字状やロの時状の板材で形成され、閂部２１１が嵌合するための嵌合穴（図示せず）を有する。閂部２１１が施錠位置にある場合、閂部２１１はフック２３の嵌合穴に嵌合し、閂部２１１とフック２３とが係合することで扉１２の施錠状態が実現される（図４（ａ）参照）。また、閂部２１１が開錠位置にある場合、閂部２１１がフック２３の嵌合穴から抜けることで、扉１２の開錠状態が実現される。なお、閂部２１１が中間位置にある場合には、閂部２１１の先端部２１１ａがフック２３の嵌合穴に位置するよう構成されているものとする。
【００２７】
開放用スプリング２２は、扉１２を開扉する開扉手段（弾性部材）の一例である。開放用スプリング２２は、例えば弦巻ばね等により形成され、扉１２を閉扉した際にフック２３に対向する位置に設けられる。開放用スプリング２２は、扉１２の閉扉に伴い変形することで、当該扉１２を開扉する開扉方向に付勢する弾性力を有する。具体的には、開放用スプリング２２の弾性エネルギーは、扉１２の施錠状態に伴い、開放用スプリング２２がフック２３により扉１２の閉扉方向、つまり開放用スプリング２２を縮める方向に押されることで蓄えられる。そして、開放用スプリング２２は、施錠によって筐体１１に係合されていた扉１２が解錠によって開放されると、当該扉１２を開扉方向に付勢する。具体的には、閂部２１１が施錠位置から開錠位置に移動し開放用スプリング２２の弾性エネルギーが開放されると、開放用スプリング２２は、扉１２の開扉方向にフック２３を押すことで扉１２が自動で開くことになる。なお、開放用スプリング２２の弾性力は、閂部２１１の中間位置において先端部２１１ａにより支持された扉１２の状態、つまりソレノイド２１２の非作動時における扉１２の閉状態を保持することが可能な値で設計されているものとする。
【００２８】
また、読取部１０は、扉１２の開閉状態を検出する開閉検出部２４を備える。開閉検出部２４は、例えば筐体１１と扉１２との間に設けられ、扉１２の開閉状態に応じた信号を出力する。本実施形態では、開放用スプリング２２の中央の間隙に開閉検出部２４を設けている（図４参照）。開閉検出部２４は、例えばスイッチ素子であり、開放用スプリング２２を縮める方向に移動してきたフック２３によって押下されることで、扉１２の閉状態を検出する。なお、開閉検出部２４の設置位置はこれに限らないものとする。
【００２９】
次に、書類読取装置１のハードウェア構成について説明する。図５は、本体部２及び読取部１０のハードウェア構成を示すブロック図である。
【００３０】
本体部２は、ＣＰＵ（Central  Processing  Unit）、ＲＯＭ（Read  Only  Memory）及びＲＡＭ（Random  Access  Memory）等から構成されるコンピュータ構成の制御部３０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００３１】
制御部３０には、各種の入出力回路（図示せず）を介して、タッチパネル３ａ及びディスプレイ３ｂが接続される。
【００３２】
また、制御部３０には、各種の入出力回路（図示せず）を介して、記憶部３１及び通信Ｉ／Ｆ３２等が接続される。
【００３３】
記憶部３１は、ＨＤＤ（Hard  Disk  Drive）やＳＳＤ（Solid  State  Drive）等の不揮発性の記憶媒体を備えた記憶装置である。記憶部３１は、本体部２の動作に係る各種プログラムや各種データを記憶する。また、記憶部３１は、読取部１０で読み取られた書類コードを記憶する。なお、記憶部３１は、書類コードと関連付けて、当該書類コードに係る書類Ｄ１や当該書類Ｄ１を所持するユーザ等の情報を対応付けたデータベース等のデータテーブル（以下、テーブルという）を記憶してもよい。通信Ｉ／Ｆ３２は、読取部１０との間で各種データの送受信を行うためのインタフェースである。
【００３４】
一方、読取部１０は、ＣＰＵ、ＲＯＭ及びＲＡＭ等から構成されるコンピュータ構成の制御部４０を備える。ＲＯＭは、ＣＰＵが実行する各種プログラムや各種データを記憶する。ＲＡＭは、ＣＰＵが各種プログラムを実行する際に一時的にデータやプログラムを記憶するものである。
【００３５】
また、制御部４０には、各種の入出力回路（図示せず）を介して、上述した電磁ロック２１及び開閉検出部２４とともに、リーダライタ部４１、記憶部４２及び通信Ｉ／Ｆ４３等が接続される。
【００３６】
リーダライタ部４１は、ＲＦＩＤアンテナ１６を介して収納室１４内に収納された書類Ｄ１のＲＦＩＤタグＴ１と交信を行う。具体的には、リーダライタ部４１は、ＲＦＩＤアンテナ１６を駆動することで、ＲＦＩＤタグＴ１の読み取り及び書き込みをするための変調波（電波）を発信させる。リーダライタ部４１は、ＲＦＩＤアンテナ１６を介してＲＦＩＤタグＴ１から読み取った各種の情報（例えば書類コード等）を制御部４０に出力する。また、リーダライタ部４１は、書き込み対象の情報（例えばフラグ情報等）を、ＲＦＩＤアンテナ１６を介して出力することで、ＲＦＩＤタグＴ１に当該情報の書き込みを行う。
【００３７】
記憶部４２は、ＨＤＤやＳＳＤ等の不揮発性の記憶媒体を備えた記憶装置である。記憶部４２は、読取部１０の動作に係る各種プログラムや各種データを記憶する。通信Ｉ／Ｆ４３は、本体部２との間で各種データの送受信を行うためのインタフェースである。なお、読取部１０が備える制御部４０、リーダライタ部４１、記憶部４２及び通信Ｉ／Ｆ４３は、図示しない回路基板上に実装されている。
【００３８】
次に、書類読取装置１の機能的構成について説明する。図６は、本体部２及び読取部１０の機能的構成を示すブロック図である。
【００３９】
本体部２の制御部３０（ＣＰＵ）は、記憶部３１に記憶されたプログラムと協働することで、表示制御部３０１と、入力受付部３０２と、通信制御部３０３と、書類登録部３０４とを機能部として実現する。
【００４０】
表示制御部３０１は、ディスプレイ３ｂを制御し、当該ディスプレイ３ｂに各種画面を表示させる。例えば、表示制御部３０１は、書類コード（ＲＦＩＤタグＴ１）の読み取り開始を指示させるための操作子（以下、読取開始ボタンという）や、読み取り終了を指示させるための操作子（以下、読取終了ボタンという）を含んだ画面を表示させる。なお、記憶部３１にテーブルが記憶されている場合には、表示制御部３０１は、読取部１０から送信された書類コードに対応する情報をテーブルから読み出し、その情報をディスプレイ３ｂに表示させてもよい。
【００４１】
入力受付部３０２は、タッチパネル３ａを介した操作入力を受け付ける。例えば、入力受付部３０２は、ディスプレイ３ｂに表示された操作画面において、操作子が操作（タッチ操作）された場合に、その操作子に対応する指示情報を制御部３０に出力する。
【００４２】
通信制御部３０３は、通信Ｉ／Ｆ３２を制御し、当該通信Ｉ／Ｆ３２を介して読取部１０との間で各種の情報を送受信する。例えば、通信制御部３０３は、読取開始ボタンが操作されると、読取開始を指示する指示情報を読取部１０に送信する。また、通信制御部３０３は、読取部１０から送信された書類コードを受信する。また、通信制御部３０３は、読取終了ボタンが操作されると、読取終了を指示する指示情報を読取部１０に送信する。また、通信制御部３０３は、書類登録部３０４による登録が完了すると、登録完了を指示する指示情報を読取部１０に送信する。
【００４３】
書類登録部３０４は、読取部１０から送信された書類コードを記憶部３１の所定領域に記憶することで、読み取り済みの書類コードとして登録を行う。具体的に書類登録部３０４は、通信制御部３０３が受信した書類コードを、その受信が行われた日時等とともに登録用の記憶領域（例えばデータベース等）に記憶する。なお、登録用の記憶領域は、本体部２と通信可能な外部装置が備える形態としてもよい。
【００４４】
一方、読取部１０の制御部４０（ＣＰＵ）は、記憶部４２に記憶されたプログラムと協働することで、開閉状態取得部４０１と、電磁ロック制御部４０２と、リーダライタ制御部４０３と、通信制御部４０４とを機能部として実現する。
【００４５】
開閉状態取得部４０１は、開閉検出部２４と協働することで、扉１２が開状態にあるか閉状態にあるかを示す開閉状態情報を取得する。
【００４６】
電磁ロック制御部４０２は、電磁ロック２１のソレノイド２１２を作動させることで、扉１２の施錠状態又は開錠状態を制御する。具体的には、電磁ロック制御部４０２は、書類読取装置１から読み取り開始が指示され、且つ開閉状態取得部４０１が取得した開閉状態情報が扉１２の閉状態を示すことを条件に、閂部２１１を施錠位置に移動させる。これにより、扉１２は施錠状態となる。また、電磁ロック制御部４０２は、リーダライタ部４１によるＲＦＩＤタグＴ１の読み取りや書き込みが完了したことを条件に、閂部２１１を開錠位置に移動させる。これにより、扉１２は開錠状態となり、開放用スプリング２２の付勢力によって扉１２が自動で開く。
【００４７】
リーダライタ制御部４０３は、リーダライタ部４１を制御することで、書類Ｄ１に付されたＲＦＩＤタグＴ１の読み取りと、当該ＲＦＩＤタグＴ１への書き込みを行う。具体的に、リーダライタ制御部４０３は、本体部２から読み取り開始が指示され、電磁ロック制御部４０２により電磁ロック２１が施錠状態に移行されると、読み取りを開始する。また、リーダライタ制御部４０３は、本体部２から読み取りの終了が指示されると、リーダライタ部４１による読み取りを終了する。そして、リーダライタ制御部４０３は、本体部２から登録完了が指示されると、リーダライタ部４１を制御し登録済フラグの書き込みを開始する。ここで、登録済フラグは、書類登録が完了したことを示す情報であって、ＲＦＩＤタグＴ１が有する所定の記憶領域に書き込まれるものとする。
【００４８】
通信制御部４０４は、通信Ｉ／Ｆ４３を制御し、当該通信Ｉ／Ｆ４３を介して本体部２との間で各種の情報を送受信する。例えば、通信制御部４０４は、本体部２から送信された読取開始を指示する指示情報を受信する。また、通信制御部４０４は、リーダライタ制御部４０３がＲＦＩＤタグＴ１から読み取った書類コードを、本体部２に送信する。また、通信制御部４０４は、本体部２から送信された読取終了を指示する指示情報を受信する。また、通信制御部４０４は、本体部２から送信された登録完了を指示する指示情報を受信する。
【００４９】
次に、書類読取装置１の動作について説明する。図７は、本体部２及び読取部１０の動作例を説明するためのフローチャートである。
【００５０】
書類読取装置１を使用するユーザは、読取部１０の扉１２を開け、書類Ｄ１を収納室１４内に収容する。次いで、ユーザは、本体部２のディスプレイ３ｂに表示された読取開始ボタンを操作することで、本処理が開始される。
【００５１】
本体部２では、入力受付部３０２が読取開始ボタンの操作を受け付けると、通信制御部３０３は、読み取り開始を指示する指示情報を読取部１０に送信する（ステップＳ１１）。
【００５２】
読取部１０では、通信制御部４０４が読み取り開始を指示する指示情報を受信すると、電磁ロック制御部４０２は、開閉状態取得部４０１が取得した開閉状態情報に基づき、扉１２が閉状態にあるか否かを判定する（ステップＳ２１）。ここで、電磁ロック制御部４０２は、扉１２が開状態にあると判定すると、当該扉１２が閉状態となるまで待機する（ステップＳ２１；Ｎｏ）。なお、ステップＳ２１の待機時に、電磁ロック制御部４０２が本体部２の表示制御部３０１と協働することで、扉１２の閉扉を促す画面を表示させる形態としてもよい。
【００５３】
ステップＳ２１において、扉１２が閉状態にあると判定すると（ステップＳ２１；Ｙｅｓ）、電磁ロック制御部４０２は、閂部２１１を施錠位置に移動させることで、扉１２を施錠状態とする（ステップＳ２２）。
【００５４】
続いて、リーダライタ制御部４０３は、ＲＦＩＤタグＴ１の読み取りを開始する（ステップＳ２３）。リーダライタ部４１は、ＲＦＩＤタグＴ１から書類コードを読み取ったか否かを判定する（ステップＳ２４）。書類コードが読み取れない場合（ステップＳ２４；Ｎｏ）、ステップＳ２６に移行する。また、書類コードが読み取られた場合（ステップＳ２４；Ｙｅｓ）、通信制御部４０４は、その書類コードを本体部２に順次送信し（ステップＳ２５）、ステップＳ２６に移行する。
【００５５】
ステップＳ２６において、リーダライタ制御部４０３は、本体部２から読み取りの終了が指示されたか否かを判定する（ステップＳ２６）。読み取り終了の指示がない場合には（ステップＳ２６；Ｎｏ）、ステップＳ２４に戻る。
【００５６】
なお、収納室１４が空の状態でＲＦＩＤタグＴ１の読み取りが開始されたような場合には、ＲＦＩＤタグＴ１が一つも読み取れないままステップＳ２４；Ｎｏ→Ｓ２６；Ｎｏのループが続くことになる。そこで、このような状態を回避するため、ＲＦＩＤタグＴ１が一つも読み取れないまま、所定時間（例えば５秒）が経過した場合や、上記のループを所定回数実行した場合には、ＲＦＩＤタグＴ１の読み取りを強制的に終了させて、ステップＳ３０の処理に移行してもよい。また、この場合、リーダライタ制御部４０３は、本体部２の表示制御部３０１と協働することで、ＲＦＩＤタグＴ１を読み取ることができない旨のメッセージを表示させることが好ましい。
【００５７】
本体部２では、通信制御部３０３が読取部１０から書類コードを受信すると、表示制御部３０１は、その書類コードをディスプレイ３ｂに表示する（ステップＳ１２）。本体部２を操作するユーザは、ディスプレイ３ｂに表示された書類コードを参照し、収納室１４に入れた全ての書類Ｄ１の書類コードが表示されたことを確認すると、そのディスプレイ３ｂに表示された読取終了ボタンを操作する。そして、入力受付部３０２が読取終了ボタンの操作を受け付けると、通信制御部３０３は、読み取り終了を指示する指示情報を読取部１０に送信する（ステップＳ１３）。
【００５８】
読取部１０では、通信制御部４０４が読み取り終了を指示する指示情報を受信する。リーダライタ制御部４０３は、通信制御部４０４の受信結果に基づき読み取りの終了が指示されたと判定すると（ステップＳ２６；Ｙｅｓ）、ＲＦＩＤタグＴ１の読み取りを停止する（ステップＳ２７）。次いで、リーダライタ制御部４０３は、本体部２から登録完了の指示があるまで待機する（ステップＳ２８；Ｎｏ）。
【００５９】
本体部２では、書類登録部３０４が、表示された各書類コードについて登録処理を行う（ステップＳ１４）。そして、通信制御部３０３は、登録完了を指示する指示情報を読取部１０に送信し（ステップＳ１５）、処理を終了する。
【００６０】
読取部１０では、通信制御部４０４が登録完了を指示する指示情報を受信する。リーダライタ制御部４０３は、通信制御部４０４の受信結果に基づき登録完了が指示されたと判定すると（ステップＳ２８；Ｙｅｓ）、リーダライタ部４１を制御することで、各書類Ｄ１のＲＦＩＤタグＴ１に登録済フラグの書き込みを行う（ステップＳ２９）。そして、登録済フラグの書き込みが完了すると、電磁ロック制御部４０２は、閂部２１１を開錠位置に移動させ、扉１２を開錠状態とし（ステップＳ３０）、本処理を終了する。
【００６１】
ここで、扉１２は、ステップＳ３０の処理に伴い、開放用スプリング２２の付勢力により開く方向に押されるため、自動で開くことになる。そのため、書類読取装置１を操作するユーザは、扉１２の開扉により、上記した読取処理及び書込処理の完了を認識することができる。なお、電磁ロック制御部４０２は、ステップＳ２９の実行に伴い、本体部２の表示制御部３０１と協働することで、処理の完了を通知するメッセージや、収納室１４から書類Ｄ１を取り出すことを促すメッセージ等を表示させてもよい。
【００６２】
以上のように、読取部１０によれば、読み取りの対象となる書類Ｄ１を収納室１４に収容し、扉１２を閉状態とすることで、ユーザ等が存在する空間と切り離した状態で、書類Ｄ１の各々に付されたＲＦＩＤタグＴ１の読み取りを一括で行うことができる。また、読取部１０によれば、ＲＦＩＤアンテナ１６の電波が及ぶ範囲を筐体１１内に制限することができる。これにより、読取部１０では、筐体１１内の電波が外部に漏出してしまうことを防ぐことができるとともに、ＲＦＩＤタグＴ１の読み取りを効率的に行うことができる。
【００６３】
また、読取部１０によれば、ＲＦＩＤタグＴ１との交信処理（読取処理及び書込処理）の最中は扉１２を施錠状態とし、交信処理の完了に伴い扉１２を開錠状態とする。これにより、読取部１０では、交信処理中に扉１２が開扉されてしまうことを防ぐことができるため、筐体１１内の電波が外部に漏出してしまうことを防ぐことができる。さらに、読取部１０によれば、交信処理の完了、つまり扉１２の開錠に伴い、当該扉１２を開扉させる。これにより、読取部１０では、読取部１０の動作状態を確認しながら開扉する手間を省くことができるため、筐体１１（扉１２）の開扉に係る操作性を向上させることができる。
【００６４】
以上、本発明の実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、組み合わせ、変更を行うことができる。これらの実施形態やその変形は、発明の範囲や要旨に含まれるとともに、特許請求の範囲に記載された発明とその均等の範囲に含まれる。
【００６５】
例えば、上記実施形態では、図３及び図４を用いてロック機構の構成を説明したが、ロック機構の構成はこれに限らず、公知のロック機構を用いてもよい。また、上記実施形態では、フック２３に対向する筐体１１側の面に設けた開扉手段（開放用スプリング２２）の付勢力により、電磁ロック２１の解錠時に扉１２を開扉する構成としたが、他の構成を採用してもよい。例えば、扉１２を閉じた際に筐体１１に対向するフック２３側の面に、開放用スプリング２２を取り付けてもよい。また、開扉手段の他の機構として、例えば、電磁ロック２１の解錠に伴い、扉１２を開扉する方向に押し出す機構（例えば、押し出し棒等を押し出す機構）を筐体１１側や扉１２側に設けてもよい。
【００６６】
また、上記実施形態では、ユーザからの操作指示に応じてＲＦＩＤタグＴ１の読み取りを開始する形態としたが、これに限らないものとする。他の形態としては、例えば、ユーザからの操作指示を要さずに、扉１２が閉状態に切り替わるのに連動して、電磁ロック２１を施錠状態とし、ＲＦＩＤタグＴ１の読み取りを開始する形態としてもよい。
【００６７】
また、上記実施形態では、ユーザからの終了指示に応じてＲＦＩＤタグＴ１の読み取りを終了する形態としたが、これに限らないものとする。他の形態としては、例えば、ユーザから指示された個数分のＲＦＩＤタグＴ１を読み取ると、その読み取りを自動的に終了する形態としてもよい。また、例えば、所定時間（例えば１分）の間、ＲＦＩＤタグＴ１を読み取り、その所定時間が経過すると読み取りを自動的に終了する形態としてもよい。
【００６８】
また、上記実施形態では、ＲＦＩＤタグＴ１の読み取り及び書き込みが終了した際に、扉１２を開錠し、当該扉１２を開扉させる例を説明したが、これに限らないものとする。具体的には、ＲＦＩＤアンテナ１６を介してＲＦＩＤタグＴ１と交信を行う際には、扉１２を施錠し、当該交信の終了に伴い扉１２を開錠すればよい。そのため、例えばＲＦＩＤタグＴ１に対し読み取り及び書き込みの何れか一方を実行する処理の場合には、その処理の終了に伴い扉１２を開錠し、当該扉１２を開扉させればよい。
【００６９】
また、上記実施形態では、読取部１０が読み取る対象（物品）を書類Ｄ１としたが、これに限らず、他の物品であってもよい。
【符号の説明】
【００７０】
１  書類読取装置
２  本体部
１０  読取部
１１  筐体
１２  扉
１３  開口部
１４  収納室
１５  載置面
１６  ＲＦＩＤアンテナ
２０  ロック機構
２１  電磁ロック
２１１  閂部
２１１ａ  先端部
２１２  ソレノイド
２１３  フレーム
２２  開放用スプリング
２３  フック
２４  開閉検出部
４０  制御部
４１  リーダライタ部
４２  記憶部
４３  通信Ｉ／Ｆ
【先行技術文献】
【特許文献】
【００７１】
【特許文献１】特開２００５−２６７０７５号公報
【図１】
2018136633.tif 000003
【図２】
2018136633.tif 000004
【図３】
2018136633.tif 000005
【図４】
2018136633.tif 000006
【図５】
2018136633.tif 000007
【図６】
2018136633.tif 000008
【図７】
2018136633.tif 000009